(57)【要約】【課題】  ホール素子に磁気を与えるための磁石が不要な音声関連装置用スイッチおよびそれを用いた通話装置を提供することを目的とする。【解決手段】  スイッチ１０は、スピーカ５を含む通話装置のスイッチである。スイッチ１０は、スピーカ５に内蔵された、磁気を発生する磁石１１、１２と、磁石１１、１２から発生する磁気を検出するホール素子６と、ホール素子６の磁石１１、１２と対向する側に対して反対側に設けられた、磁石１１、１２から発生する磁気をホール素子６へ集める磁性体７とを備えている。【選択図】      図３
2006115042.tif 000002
【特許請求の範囲】
【請求項１】
スピーカおよび／またはマイクを含む音声関連装置のためのスイッチであって、
前記スピーカおよび／または前記マイクに内蔵された、磁気を発生する磁気発生体と、
前記磁気発生体から発生する磁気を検出するホール素子と、
前記ホール素子の前記磁気発生体と対向する側に対して反対側に設けられた、前記磁気発生体から発生する磁気を前記ホール素子へ集める磁性体と、
を備えている、
音声関連装置用スイッチ。
【請求項２】
前記ホール素子と前記磁性体とのあいだに設けられた絶縁体を、さらに備えている、
請求項１に記載の音声関連装置用スイッチ。
【請求項３】
前記ホール素子、前記絶縁体、および前記磁性体は、順次積層されて互いに固着されている、
請求項２に記載の音声関連装置用スイッチ。
【請求項４】
前記磁性体は、鉄板である、
請求項１から３のいずれかに記載の音声関連装置用スイッチ。
【請求項５】
前記ホール素子および前記磁性体は、外部から遮断されるように音声関連装置本体に収容されている、
請求項１から４のいずれかに記載の音声関連装置用スイッチ。
【請求項６】
請求項１から５のいずれかに記載の音声関連装置用スイッチを備えた通話装置。
【発明の詳細な説明】
【技術分野】
【０００１】
本発明は、音声関連装置用スイッチおよびそれを用いた通話装置に関する。
【背景技術】
【０００２】
従来より、一般的な電話装置などでは、通話の開始および終了を切り替えるためにフックスイッチを備えている。フックスイッチは、受話器を置いたときにフックスイッチが本体内部に押し下げられる（いわゆるフックオン状態になる）ことにより、通話を終了し、一方、受話器を取り上げたときには、フックスイッチが本体内部から突出する（いわゆるフックオフ状態になる）ことにより、通話を開始する。
このようなフックスイッチを備えた電話装置の場合、フックスイッチを出没させるための開口部が本体上部に形成されており、この開口部から水や塵などが本体内部に侵入しやすく、防水性、防塵性および防塩性がわるいという問題がある。
【０００３】
そこで、出没式のフックスイッチの代わりにホール素子を本体内部に収容し、かつ、受話器に磁石を設けた電話装置が提案されている（特許文献１参照）。このホール素子を用いた電話装置では、ホール素子が本体内部に収容されているため、本体を密閉させた構成にすることができ、防水性、防塵性および防塩性が向上している。この電話装置では、受話器を上下させたときに、磁石とホール素子との距離が変化してホール素子に作用する磁気の強さが変化することを利用している。その磁気の変化を、ホール素子で検出することにより、通話の開始および終了の切り替えを行っている。
【特許文献１】特開平５−４８６９４号公報
【発明の開示】
【発明が解決しようとする課題】
【０００４】
しかし、従来のホール素子を用いた電話装置では、ホール素子に検出される磁気を発生させるための磁石を、受話器に設ける必要がある。そのため、部品点数が増加して製造コストがかさむとともに、磁石の設置スペースを受話器に確保する必要があり、設計自由度が制限される。
一方、受話器のスピーカやマイクには、磁気を発生する磁気発生体が内蔵されているが、微弱な磁気しか外部に漏洩しない。しかも、受話器の耳当て部分は大きくえぐれているので、受話器を本体上部に置いたときに、受話器内部の磁気発生体と本体内部のホール素子との距離が比較的遠いので、ホール素子へ影響する磁気は非常に弱くなる。そのため、この磁気発生体から漏洩する磁気をホール素子で検出することができなかったのが現状である。
【０００５】
そこで、本発明は、ホール素子に磁気を与えるための磁石が不要な音声関連装置用スイッチおよびそれを用いた通話装置を提供することを目的とする。
【課題を解決するための手段】
【０００６】
本願第１発明は、スピーカおよび／またはマイクを含む音声関連装置のためのスイッチであって、前記スピーカおよび／または前記マイクに内蔵された、磁気を発生する磁気発生体と、前記磁気発生体から発生する磁気を検出するホール素子と、前記ホール素子の前記磁気発生体と対向する側に対して反対側に設けられた、前記磁気発生体から発生する磁気を前記ホール素子へ集める磁性体と、を備えている音声関連装置用スイッチを提供する。
ここでは、磁性体がホール素子の磁気発生体と対向する側に対して反対側に設けられているので、音声関連装置のスピーカおよび／またはマイクに内蔵された磁気発生体から漏洩する微弱な磁気を、磁性体によってホール素子へ集めることができる。そのため、スピーカおよび／またはマイクに内蔵された既存の磁気発生体とホール素子とを組み合わせてスイッチを構成することができる。そのため、ホール素子に検出される磁気を発生させるための専用の磁石が不要になる。
【０００７】
本願第２発明は、本願第１発明において、前記ホール素子と前記磁性体とのあいだに設けられた絶縁体を、さらに備えている音声関連装置用スイッチを提供する。
本願第３発明は、本願第２発明において、前記ホール素子、前記絶縁体、および前記磁性体とは、順次積層されて互いに固着されている、音声関連装置用スイッチを提供する。
本願第４発明は、本願第１発明から本願第３発明において、前記磁性体は、鉄板である音声関連装置用スイッチを提供する。
本願第５発明は、本願第１発明から本願第４発明において、前記ホール素子および前記磁性体は、外部から遮断されるように音声関連装置本体に収容されている、音声関連装置用スイッチを提供する。
【０００８】
本願第６発明は、本願第１発明から本願第５発明のいずれかの音声関連装置用スイッチを備えた通話装置を提供する。
【発明の効果】
【０００９】
本発明では、磁性体がホール素子の磁気発生体と対向する側に対して反対側に設けられているので、スピーカおよび／またはマイクに内蔵された磁気発生体から漏洩する微弱な磁気を、磁性体によってホール素子へ集めることができ、それにより、スピーカおよび／またはマイクに内蔵された既存の磁気発生体とホール素子とを組み合わせてスイッチを構成することができる。その結果、ホール素子に検出される磁気を発生させるための専用の磁石が不要になる。したがって、磁石が不要になったことによって、部品点数および製造コストを抑える低く抑えることができ、しかも設計自由度が拡大する。
【発明を実施するための最良の形態】
【００１０】
＜第１実施形態＞
図１は、本発明の音声関連装置用スイッチの第１実施形態であるスイッチを備えた通話装置の斜視図、図２は、図１の通話装置の側面図、および図３は、図１の通話装置のスイッチ部分を拡大した断面説明図である。
図１および図２に示される通話装置は、インターカムまたは一般の電話機などの通話装置である。通話装置の本体１の上面の左半分に部分的に凹ませて形成された設置場所には、受話器２が置かれている。受話器２は、スピーカ５を内蔵した受話部３と、マイク（図示せず）を備えた送話部４とを有している。受話部３には、大きくくぼんだ耳当て部分３ａが形成されている。
【００１１】
スピーカ５は、ドライバに磁気回路を有する一般的なスピーカであり、図３に示されるように、円柱状磁石１１と、リング状磁石１２と、電磁コイル１３と、コーン１４とから構成されている。リング状磁石１２は、円柱状磁石１１とのあいだに若干の隙間を有するように円柱状磁石１１と同心状に設置されている。電磁コイル１３は、円柱状磁石１１とリング状磁石１２とのあいだの隙間に配置されている。また、コーン１４は、略円錐状を呈し、紙または布などの可撓性を有する材料で形成されている。電磁コイル１３は、コーン１４の直径が狭い部分に螺旋状に巻かれた状態で固着されている。電磁コイル１３に交流電流が流れることにより、電磁コイル１３の軸方向に磁界が発生し、この電磁コイル１３の発生磁界と円柱状磁石１１−リング状磁石１２間の磁界との相互作用により、電磁コイル１３は、軸方向に振動する。これにより、電磁コイル１３が固着されたコーン１４を振動させて音を発生させることができる。
【００１２】
図３に示される通話装置のためのスイッチ１０は、スピーカ５に内蔵された磁気発生体である円柱状磁石１１およびリング状磁石１２と、ホール素子６と、磁性体７と、絶縁基板８とから構成されている。
ホール素子６は、円柱状磁石１１およびリング状磁石１２から発生する磁気を検出する素子である。ホール素子６は、絶縁基板８の上面にハンダ付け等により固着されている。
磁性体７は、円柱状磁石１１およびリング状磁石１２から発生する磁気をホール素子６へ集める。磁性体７は、ホール素子６の円柱状磁石１１およびリング状磁石１２と対向する上側６ａに対して反対側である下側６ｂに設けられている。本実施形態では、ホール素子６と磁性体７とのあいだに絶縁基板８が設けられているため、ホール素子６と磁性体７とのあいだで短絡が発生するのを防止している。磁性体７は、絶縁基板８の下面にハンダ付け等により固着されている。
【００１３】
磁性体７は、円柱状磁石１１およびリング状磁石１２から発生する磁気をホール素子６へ集めることができるものであれば、種々の材料を選択することができるのが、磁性を帯びやすく、しかも加工が容易で安価な鉄板がとくに好ましい。
本実施形態のスイッチ１０では、磁性体７がホール素子６の円柱状磁石１１およびリング状磁石１２と対向する上側６ａに対して反対側である下側６ｂに設けられているので、通話装置のスピーカ５に内蔵された円柱状磁石１１およびリング状磁石１２から漏洩する微弱な磁気を、磁性体７によってホール素子６へ集めることができる。それによって、ホール素子６が円柱状磁石１１およびリング状磁石１２から発生する磁気の変化を検出して、フックスイッチと同様の作用をする。そのため、ホール素子に検出される磁気を発生させるための専用の磁石が不要になる。
【００１４】
本実施形態のスイッチ１０では、以下のようにスイッチ動作が行われる。すなわち、受話器２を本体１の上に置いたときには、円柱状磁石１１およびリング状磁石１２がホール素子６に近くなるので、ホール素子６が検出する磁気は所定の磁気強度よりも強くなる（いわゆるフックオン状態になる）。このときには、ホール素子６に接続された既存の通話制御回路（図示せず）は、通話を終了する動作を行う。
一方、受話器２を取り上げたときには、円柱状磁石１１およびリング状磁石１２がホール素子６から遠ざかって、ホール素子６が検出する磁気は所定の磁気強度よりも弱くなる（いわゆるフックオフ状態になる）ので、このときには、通話制御回路は、通話を終了する動作を行う。
【００１５】
なお、図３のように受話部３において大きくくぼんだ耳当て部分３ａが形成されているので、受話器２を本体１の上に置いても、円柱状磁石１１およびリング状磁石１２とホール素子６とのあいだの距離は、耳当て部分３ａおよびコーン１４の高さ以上になるが、磁性体７によって、円柱状磁石１１およびリング状磁石１２から発生する微弱な磁気をホール素子６へ集めることができる
ホール素子６、絶縁基板８、および磁性体７は、順次積層されてハンダ付け等により互いに固着されているので、通話装置の本体１への取付けが容易であり、かつ、絶縁基板８および磁性体７によってホール素子６を衝撃等から保護することができる。
【００１６】
また、図１〜図３に示されるスイッチ１０では、ホール素子６および磁性体７が、外部から遮断されるように通話装置の本体１に収容されているので、従来の出没式のフックスイッチように、本体１の上面に開口部を形成する必要がなく、防水性、防塵性、および防塩性などが向上する。
＜第２実施形態＞
上述の第１実施形態では、通話装置のスピーカ５に内蔵された円柱状磁石１１およびリング状磁石１２を用いてスイッチを構成しているが、本発明はこれに限定されるものではなく、スピーカではなく、マイクに内蔵された磁石等の磁気発生体を用いても本発明のスイッチを構成することができる。
【００１７】
図４は、本発明の音声関連装置用スイッチの第２実施形態であるスイッチを備えた非常用放送設備の斜視図、図５は、図４の非常用放送設備のスイッチ部分を拡大した断面説明図である。
図４および図５に示される非常用放送設備は、本体２１と、送話器２２とから構成されている。送話器２２の内部には、マイク２３が内蔵されている。
図５に示される非常用放送設備のためのスイッチ３０は、マイク２３に内蔵された磁気発生体である磁石２４と、ホール素子２５と、磁性体２６と、絶縁基板２７とから構成されている。
【００１８】
第２実施形態のスイッチ３０においても、上述の第１実施形態のスイッチ１０と同様に、磁性体２６がホール素子２５の磁石２４と対向する側に対して反対側に設けられているので、送話器２２のマイク２３に内蔵された磁石２４から漏洩する微弱な磁気を、磁性体２６によってホール素子２５へ集めることができる。それによって、ホール素子２５が磁石２４から発生する磁気の変化を検出して、フックスイッチと同様の作用をする。そのため、ホール素子に検出される磁気を発生させるための専用の磁石が不要になる。
【産業上の利用可能性】
【００１９】
本発明のスイッチは、スピーカおよび／またはマイクを含む音声関連装置のためのスイッチとして、広く適用することができる。たとえば、スピーカまたはマイク、あるいはその両方を内蔵したハンドセットを備えた音声関連装置である、電話機、インターカム、ＩＰ電話端末、非常用放送設備、一般用放送設備などに広く適用される。また、折り畳み可能な携帯型電話装置などの開閉検出のスイッチにも、本発明のスイッチは好適である。
【図面の簡単な説明】
【００２０】
【図１】本発明の音声関連装置用スイッチの第１実施形態であるスイッチを備えた通話装置の斜視図。
【図２】図１の通話装置の側面図。
【図３】図１の通話装置のスイッチ部分を拡大した断面説明図。
【図４】本発明の音声関連装置用スイッチの第２実施形態であるスイッチを備えた非常用放送設備の斜視図。
【図５】図４の非常用放送設備のスイッチ部分を拡大した断面説明図。
【符号の説明】
【００２１】
５            スピーカ
１１          円柱状磁石
１２          リング状磁石
６、２５      ホール素子
７、２６      磁性体
８、２７      絶縁基板
１０、３０    スイッチ
２３          マイク
２４          磁石
【図１】
2006115042.tif 000003
【図２】
2006115042.tif 000004
【図３】
2006115042.tif 000005
【図４】
2006115042.tif 000006
【図５】
2006115042.tif 000007